【手続補正書】
【提出日】平成18年5月23日(2006.5.23)
【手続補正１】
【補正対象書類名】明細書
【補正対象項目名】全文
【補正方法】変更
【補正の内容】
【書類名】      明細書
【発明の名称】  給湯装置
【特許請求の範囲】
【請求項１】  給湯装置であって、
発熱体に電気を供給して発熱させ、水が該発熱体に直接触れて湯になるようにしてある加熱装置と、
水を上記加熱装置の導入側へ送る送水手段と、
上記加熱装置で沸かされた湯を給湯部へ送る給湯手段と、
を備えており、
発熱体は、
半導体セラミックスで形成されたヒーターと、
導電部材と、
を有しており、
上記導電部材に通電することで、上記ヒーターに電気が供給されて該ヒーターが発熱するようになっていることを特徴とする、
給湯装置。
【請求項２】  給湯装置であって、
発熱体に電気を供給して発熱させ、水が該発熱体に直接触れて湯になるようにしてある加熱装置と、
上記加熱装置で沸かされた湯の一部を熱源として、該加熱装置に送られる水を予備的に加熱する予備加熱装置と、
水を上記予備加熱装置の被加熱部を通して、上記加熱装置の導入側へ送る送水手段と、
湯を上記予備加熱装置の加熱部を通して、再び上記加熱装置の導入側へ送る送湯手段と、
上記加熱装置で沸かされた湯を給湯部へ送る給湯手段と、
を備えており、
発熱体は、
半導体セラミックスで形成されたヒーターと、
導電部材と、
を有しており、
上記導電部材に通電することで、上記ヒーターに電気が供給されて該ヒーターが発熱するようになっていることを特徴とする、
給湯装置。
【請求項３】  発熱体が交換可能なカートリッジ式になっていることを特徴とする、
請求項１または２記載の給湯装置。
【請求項４】  加熱装置に水が送られたときに発熱体に電気が供給されるようにする制御手段を有していることを特徴とする、
請求項１，２または３記載の給湯装置。
【発明の詳細な説明】
【０００１】
【発明の属する技術分野】
本発明は給湯装置に関し、更に詳しくは、既設の建物に後付けする場合でも簡単に設置できるようにした給湯装置に関する。
【０００２】
【従来技術】
例えば、美容・理容業界において利用客の洗髪等をする際には、大量の湯が使用される。湯は、給湯装置を使用して沸かされている。従来の給湯装置は、ガス焚き式や灯油焚き式の燃焼装置を備えたものが一般的である。
【０００３】
このような燃焼装置は、ガスや灯油を燃焼させる燃焼室を備えている。燃焼室内には、水が内部を通過し、燃焼熱により加熱されて湯を沸かす蛇管が配置してある。蛇管は、燃焼熱による熱交換率が良くなるように相当の長さを有している。そのため、燃焼装置は必然的に大型にならざるを得なかった。
【０００４】
【発明が解決しようとする課題】
上記した従来の給湯装置には、次のような課題があった。
即ち、燃焼装置は蛇管の長さを短くすると熱交換率が極端に悪くなり、大量の湯を沸かすことができなくなるので、小型化することが困難であった。従って、給湯装置は全体として大型になり、給湯装置の設置には多大な占有スペースが必要であった。つまり、給湯装置の据え付けを予定して建築された建物はともかく、既に建てられている建物に新たに設置することは、スペース的に困難な場合があった。なお、給湯される湯の流量を少なくすれば各装置の小型化も可能であるが、これでは実用上支障が生じる。
【０００５】
また、燃焼装置では、ガスや灯油等が燃やされているので、湯を沸かすのと同時に大量の排気ガスも発生させている。そのため、燃焼装置の周辺の大気は絶えず汚染されていた。特に、例えば、都市部や住宅地等の人口密集地においては、この排気ガスによって健康を害したり、不快な思いをしたりするため、その発生を抑えることが重要な課題とされている。
【０００６】
本発明は、上記課題を解消するもので、給湯装置の占有スペースを小さくして、既設の建物に後付けする場合でも簡単に設置できるようにし、かつ、排気ガスの発生も防止した給湯装置を提供することを目的とする。
【０００７】
【課題を解決するための手段】
上記目的を達成するために講じた本発明の手段は次のとおりである。
第１の発明にあっては、
給湯装置であって、
発熱体に電気を供給して発熱させ、水が該発熱体に直接触れて湯になるようにしてある加熱装置と、
水を上記加熱装置の導入側へ送る送水手段と、
上記加熱装置で沸かされた湯を給湯部へ送る給湯手段と、
を備えていることを特徴とする、
給湯装置である。
【０００８】
第２の発明にあっては、
給湯装置であって、
発熱体に電気を供給して発熱させ、水が該発熱体に直接触れて湯になるようにしてある加熱装置と、
上記加熱装置で沸かされた湯の一部を熱源として、該加熱装置に送られる水を予備的に加熱する予備加熱装置と、
水を上記予備加熱装置の被加熱部を通して、上記加熱装置の導入側へ送る送水手段と、
湯を上記予備加熱装置の加熱部を通して、再び上記加熱装置の導入側へ送る送湯手段と、
上記加熱装置で沸かされた湯を給湯部へ送る給湯手段と、
を備えていることを特徴とする、
給湯装置である。
【０００９】
第３の発明にあっては、
発熱体は、
半導体セラミックスで形成されたヒーターと、
導電部材と、
を有しており、
上記導電部材に通電することで、上記ヒーターに電気が供給されて該ヒーターが発熱するようになっていることを特徴とする、
第１または第２の発明に係る給湯装置である。
【００１０】
第４の発明にあっては、
発熱体が交換可能なカートリッジ式になっていることを特徴とする、
第１，第２または第３の発明に係る給湯装置である。
【００１１】
第５の発明にあっては、
加熱装置に水が送られたときに発熱体に電気が供給されるようにする制御手段を有していることを特徴とする、
第１，第２，第３または第４の発明に係る給湯装置である。
【００１２】
「半導体セラミックス」は、電気抵抗が大きく、電気を通電させれば発熱し、しかも耐熱性に優れる性質を有する。
【００１３】
（作  用）
給湯装置は、発熱体に電気を供給して発熱させ、水が該発熱体に直接触れて湯になるような構造を有する加熱装置を備えている。つまり、加熱装置は流路中に発熱体が設けてあるような構造を有している。このため、発熱体が発した熱量は、途中で無駄に損失することなく直接水に伝達される。従って、加熱装置は、水を加熱して湯にするための効率が極めて良好であり、従来の燃焼装置の蛇管のように加熱される部分を長くする必要がない。これにより加熱装置は、供給できる同温の湯の量を基準として比較すれば、従来の燃焼装置より構造を小型化することができる。
給湯装置は、このような加熱装置を使用して湯を沸かすので、これ全体の構造も小型化することができる。これにより給湯装置は、設置に際して占有スペースが小さくて済むようになり、据え付けを予定されていなかった既に建てられている建物でも簡単に設置することができるようになる。
【００１４】
また、給湯装置によれば、加熱装置の発熱が電気を使用して行われるので、排気ガスの発生がなく、その周辺の大気を汚染するようなこともない。従って、給湯装置は、例えば、都市部や住宅地等の人口密集地においても支障なく使用することができる。
【００１５】
加熱装置で沸かされた湯の一部を熱源として、該加熱装置に送られる水を予備的に加熱する予備加熱装置を備えているものは、加熱装置に送られる水を予備的に加熱しておくことができる。従って、加熱装置に送られたときに、予備的に加熱されていない水よりも少ない熱量で、即ち少ない電気の量で加熱して湯にすることができる。
【００１６】
発熱体が交換可能なカートリッジ式になっているものは、発熱体が消耗したときや故障したときに、発熱体のみを取り替えることができる。つまり、メンテナンスが簡単である。
【００１７】
加熱装置に水が送られたときに発熱体に電気が供給されるようにする制御手段を有しているものは、加熱装置に水が送られたときに、発熱体に電気を供給して該加熱装置を作動させることができる。つまり、加熱装置に水を送るだけで、自動的にこの水を加熱して湯を沸かすことができる。このように湯を沸かすときだけに電気を供給することができるので、電気の無駄がなく、また、空焚き等の危険もなくなる。
【００１８】
【発明の実施の形態】
本発明を図面に示した実施の形態に基づき更に詳細に説明する。
図１は本発明に係る給湯装置の一実施の形態を示しており、前蓋を外して内部構造が見えるようにした状態の概略説明図である。なお、各種機器の間に結線される配線は、図示を省略している。
符号Ｋは給湯装置を示している。給湯装置Ｋは、着脱可能な前蓋（図示省略）を有する箱状のハウジングを１備えている。ハウジング１内には、予備加熱装置である熱交換器２と、加熱装置３と、送湯手段を構成する循環ポンプ４と、それら装置間に配管された各種管と、制御用の各種機器等が備えられている。
なお、図１で示すハウジング１の大きさは、縦と横が６００ｍｍ、また図からは分からないが奥行きが１５０ｍｍである。しかし、ハウジング１の大きさはこれに限定されない。
【００１９】
ハウジング１内の下方には、送水手段を構成する送水管５０ａが配管してある。送水管５０ａは、一端（ａ）側が側面板１０を貫通して外部に突出しており、水を供給する給水口（図示省略）と接続してある。
【００２０】
送水管５０ａの上方には熱交換器２が配置してある。熱交換器２は、所要長さを有する円筒状の外部容器２０を有し、外部容器２０の両端を湾曲した鏡板２１，２１で塞いで内部が密封されるようにしてある。
【００２１】
熱交換器２の内部には、長さ方向に延びて、両鏡板２１，２１を水密に貫通した内管２２が設けてある。外部容器２０、鏡板２１，２１及び内管２２は、いづれもステンレス製である。内管２２のうち外部容器２０の内部に収容された部分は、螺旋状に形成されている。また、外部容器２０の上部両端側には、管状の接続部２３ａ，２３ｂが内部に連通して設けてある。
【００２２】
熱交換器２の内部（内管２２の内部を除く）は加熱部であり、内管２２の内部は被加熱部である。熱交換器２は全体がステンレスで形成してあるが、少なくとも加熱部と被加熱部との間での熱の受け渡しが良好であれば、他の材料で形成することもできる。
送水管５０ａの他端は、内管２２の一端（ｂ）に接続されている。
【００２３】
熱交換器２の上方には循環ポンプ４が配置してある。循環ポンプ４の導入側（ｄ）には、一端が内管２２の他端（ｃ）と接続された、送水手段を構成する送水管５０ｂの他端が接続されている。循環ポンプ４の導出側（ｅ）には、一端が加熱装置３の導入側（ｆ）と接続された、送水手段を構成する送水管５０ｃの他端が接続されている。詳しくは、送水管５０ｃの一端は、後述する加熱器Ｈの流路６０に接続されている。なお、循環ポンプ４は、公知技術のものを使用したので、詳細な説明は省略する。
【００２４】
加熱装置３の導出側（ｇ）には、給湯手段である給湯管５２の一端が接続されている。詳しくは、給湯管５２の一端は、後述する加熱器Ｈの流路６２に接続されている。給湯管５２は、他端側（ｈ）が側面板１１を貫通して外部に突出するように配管してある。加熱装置３で沸かされた湯は、給湯管５２の他端を通り、給湯部である給湯口（図示省略）へ送られる。
【００２５】
給湯管５２の所要位置には、他端が一方の接続部２３ａに接続された送湯手段を構成する送湯管５１ａの一端が、給湯管５２から分岐（ｉ）して接続されている。送湯管５１ａには、管内部を通る湯の温度を測り、この湯温が予め設定された任意の温度よりも下がったときに循環ポンプ４を作動させる温度センサーＳ１が設けてある。熱交換器２の他方の接続部２３ｂには、他端が送水管５０ｂの所要位置（ｊ）に接続された、送湯手段を構成する送湯管５１ｂの一端が接続されている。
【００２６】
加熱装置３は、着脱可能な前蓋（図示省略）を有する箱状のハウジング３０を備えている。ハウジング３０内には加熱器Ｈが設けてある。加熱器Ｈには制御ボックス３１が設けてある。
【００２７】
なお、符号７０と７１は漏電ブレーカー、符号７２は温度管理リレー、符号７３は循環ポンプ用のマグネットスイッチ、符号７４は端子台である。これら各種機器の説明は省略する。
【００２８】
図２は加熱器の構造を示し、一部を縦断面した説明図、
図３は図１に示す加熱器を図２のＡ−Ａ部分で断面した横断面図である。
図２及び図３を参照して、加熱器Ｈについて更に詳しく説明する。
【００２９】
加熱器Ｈは、流路を形成する機器ケース６を有している。機器ケース６は、ポニフェニレンエーテル系のエンジニアプラスチックで成形されている。これは電気絶縁性や耐熱性に優れ、吸水率が低い等の特徴を有している。本実施の形態では「ＮＯＲＹＬ」（米国ゼネラル・エレクトリック社：商標）を使用したが、これに限定するものでない。
【００３０】
機器ケース６の内部には、略円管状の三本の流路６０，６１，６２が縦方向に形成されている。中央の流路６１は、内径が両側の流路６０，６２よりも大きくなるように形成してある。流路６１と流路６０，６２は、上部側に形成された連通路６３ａ，６３ｂにより通ずるようにしてある。また、流路６０，６２の下部は、開口してある。
機器ケース６の上部には、後述する発熱体８を挿し込むための挿入口６７が形成してある。
【００３１】
符号８は発熱体を示している。発熱体８は、棒状の半導体セラミックス製のヒーター８０と、導電部材８１を有している。ヒーター８０の側面には、凹溝８００ａ，８００ｂが全長にわたって形成されている。ヒーター８０の直径は、流路６１に収容されたときに、外周面と流路６１の内周面との間に隙間を生じない大きさに形成してある（図３参照）。
【００３２】
発熱体８は、上記した挿入口６７から挿し込んで、流路６１内に収容することで機器ケース６に装着してある。これにより流路６１内には、更にヒーター８０の凹溝８００ａ，８００ｂによる流路が形成される。また、挿入口６７は、この発熱体８によって水密に塞がれる。
【００３３】
導電部材８１は、電気抵抗の大きいニッケルクロム合金鋼の線材をコイル状に形成した導線８１０と、導線８１０の両端に取り付けられた電極棒８１１，８１１を備えている。電極棒８１１，８１１は、ヒーター８０の上部側を水密に貫通して、上端が外部に突出するように設けてある。導線８１０は、凹溝８００ａ，８００ｂ内に収容してあり、ヒーター８０の下端で折り返して、両端が電極棒８１１，８１１に接続してある。
【００３４】
本実施の形態でヒーター８０を形成する半導体セラミックスは、炭化珪素系のものを使用したが、これに限定するものでない。また、導線８１０もニッケルクロム合金鋼の線材をコイル状にしたものに限定するものではなく、耐熱性に優れ、通電してヒーターに電気を供給することができるようなものであれば使用できる。なお、発熱体８はカートリッジ式で交換が可能である。
【００３５】
流路６０には、制御手段を構成するスイッチ部材６４が設けてある。スイッチ部材６４は、筒状を有する磁石で形成されており、通水時の水の圧力によって流路６０の高さ方向に移動することができる。流路６０の略中間部には、スイッチ部材６４が上昇したときにこれを停止させる棒状のストッパー部材６００が設けてある。また、流路６０の下部側にも、スイッチ部材６４が下降したときにこれを停止させる棒状のストッパー部材６０１が設けてある。
【００３６】
流路６１内の底部よりやや上方の部分には、温度センサーＳ２が設けてある。
温度センサーＳ２は、流路６１内を通る湯の温度を測り、制御ボックス３１内の回路（図示及び説明省略）により導電部材８１に通電させる電気の量を調節して、この湯温が予め設定された任意の温度になるようにコントロールする。
【００３７】
流路６２の内面は、上部側から下部側にかけて緩やかに拡がるような勾配を有するように形成されている。流路６２には、螺旋状に設けられた抵抗部材６６が略全長にわたり設けてある。
【００３８】
制御ボックス３１内には、制御手段を構成する感知装置（図示省略）が配置してある。感知装置は、スイッチ部材６４が水の圧力により上昇移動してストッパー部材６００で停止したときに、スイッチ部材６４が発する磁気を感知するものである。感知装置がスイッチ部材６４の磁気を感知すると、導電部材８１に電気が通電されて加熱器Ｈが作動するようになっている。
【００３９】
本実施の形態で示す加熱装置３は、加熱器Ｈを一つしか備えてないタイプのものを挙げたが、これに限定するものではなく、加熱器Ｈは、給湯量に対応して複数（例えば、二つ、三つ、それ以上）設けることもできる。
【００４０】
（作  用）
図１ないし図３を参照して本発明の実施の形態の作用を説明する。
まず、送水管５０ａから供給された水は、熱交換器２の内管２２及び送水管５０ｂを通り、循環ポンプ４を介して送水管５０ｃから加熱装置３に送られる。
【００４１】
加熱装置３に送られた水は、加熱器Ｈの流路６０に流入する。スイッチ部材６４は、この水の圧力によって上昇移動し、ストッパー部材６００で停止する。これにより感知装置がスイッチ部材６４の磁気を感知し、導電部材８１に電気が通電され、加熱器Ｈが作動する。
【００４２】
流路６０を通過した水は、連通路６３ａを通って流路６１に流入する。流路６１に流入した水は、ヒーター８０に形成された凹溝８００ａから凹溝８００ｂに通水する。このとき凹溝８００ａ，８００ｂに収容された導線８１０には電気が通電されている。従って、導線８１０は発熱しており、水は凹溝８００ａ，８００ｂを通水するときにこの導線８１０の熱によって加熱される。
【００４３】
更に、導線８１０に電気が通電されることで、ヒーター８０にも導体である水を介して電気が供給され通電される。これによりヒーター８０も発熱するようになる。
つまり、凹溝８００ａ，８００ｂを通水する水は、導線８１０とヒーター８０の両方が発する熱によって加熱される。なお、ヒーター８０は通電されると、８００℃位まで発熱上昇する。そのため流路６１を流れる水は、流量にもよるが略瞬間的に湯になる。
【００４４】
発熱体８はカートリッジ式なので、発熱体８が消耗したときや故障したときに、発熱体８のみを取り替えることができる。つまり、この加熱器Ｈはメンテナンスが簡単である。
【００４５】
流路６１を通水して沸かされた湯は、連通路６３ｂを通って流路６２に流入する。流路６２には抵抗部材６６が設けてあるので、これにより加熱器Ｈから流出した湯が逆流するのを防止している。しかしこの抵抗部材６６は、反面、流路６２を通水し流出する湯の流量を抑えるような抵抗にもなっている。そこで流路６２は内面を、上部側から下部側にかけて緩やかに拡がるような勾配を有するように形成して、この抵抗を緩和するようにしてある。
【００４６】
また、加熱器Ｈにより沸かされる湯の温度は、温度センサーＳ２が流路６１内の湯温を測り、制御ボックス３１内の回路により導電部材８１に通電する電気の量を調節することによって、導線８１０及びヒーター８０が発する発熱量を制御してコントロールすることができる。このように加熱器Ｈで沸かす湯の温度は任意に設定できる。
【００４７】
加熱装置３から流出した湯は、給湯管５２を通って給湯口に送られ、洗髪等に使用される。
また、給湯管５２には、所要位置から分岐して送湯管５１ａが設けてあるので、加熱装置３から流出した湯は、この送湯管５１ａを通って熱交換器２の加熱部へも送られる。湯が、加熱部へ送られることによって、被加熱部（内管２２の内部）を通る水に、この湯による熱量を与えて、この水を予備的に加熱しておくことができる。これにより被加熱部を通った水は、加熱装置３に送られたときに、予備的に加熱されていない水よりも少ない熱量で、即ち少ない電気の量で加熱して湯にすることができる。
【００４８】
加熱部を通った湯は、被加熱部を通る水によって熱量が奪われており、流入したときよりも温度が下がっている。この湯は送湯管５１ｂを通り、循環ポンプ４を介して再び加熱装置３へ送られて加熱される。
【００４９】
通常、給湯装置Ｋは、給湯口を開閉操作することにより、上記した作用が行われるようになっている。つまり、給湯口が給湯装置Ｋを作動させるスイッチとなっている。
【００５０】
送湯管５１ａを通る湯の温度は、温度センサーＳ１で測ることができる。そして、送湯管５１ａを通る湯が、予め設定された任意の温度よりも下がったときは、温度センサーＳ１がそれを感知して循環ポンプ４を作動させる。循環ポンプ４が作動すると、湯は送湯管５１ａから外部容器２０を通り、送湯管５１ｂから循環ポンプ４を介して送水管５０ｃを通り加熱装置３へ送られる。つまり、給湯口が開かれていない場合でも、湯は循環して再び加熱される。
従って、しばらくの間、給湯口を開いていないときでも、これを開けば直ぐに設定された任意の温度以上の湯温を有する湯を出すことができる。勿論、相当期間使用しないときは、温度センサーＳ１及び循環ポンプ４の電源を落として、これらが作動しないようにすることもできる。
【００５１】
加熱装置３が、加熱器Ｈの導線８１０及びヒーター８０に電気を通電して発熱させ、流路６１内で水がこれらに直接触れて湯になる構造を有している。そのため、発熱体８が発した熱量は、途中で無駄に損失することなく直接水に伝達される。従って、加熱装置３は、水を加熱して湯にするための効率が極めて良好であり、従来の燃焼装置の蛇管のように加熱される部分を長くする必要がない。これにより加熱装置は、供給できる同温の湯の量を基準として比較すれば、従来の燃焼装置より構造を小型化することができる。
給湯装置Ｋは、このような加熱装置３を使用して湯を沸かすので、これ全体の構造も小型化することができる。これにより給湯装置Ｋは、設置に際して占有スペースが小さくて済むようになり、据え付けを予定されていなかった既に建てられている建物にも簡単に設置することができるようになる。
【００５２】
また、給湯装置Ｋによれば、加熱装置３の発熱が電気を使用して行われるので、排気ガスの発生がなく、その周辺の大気を汚染するようなこともない。従って、給湯装置Ｋは、例えば、都市部や住宅地等の人口密集地においても支障なく使用することができる。
【００５３】
加熱器Ｈが、流入する水の圧力によりスイッチ部材６４が上昇移動することで作動するようになっているので、加熱器Ｈに水を送るだけで、自動的にこの水を加熱して湯を沸かすことができる。このように湯を沸かすときだけに電気を供給することができるので、電気の無駄がなく、また、空焚き等の危険もなくなる。
【００５４】
なお、給湯装置Ｋは、給湯管５２の他端に送られた湯が再び送水管５０ａの一端側に送られるようにして、湯が循環するようにすることもできる。このように湯を循環させることで、例えば、床暖房、ルームヒーター、豪雪地帯の屋根や道路に積もった雪を熱で溶かす装置、ビニルハウスの暖房装置等としても使用することができる。このように給湯装置Ｋは、種々の用途に使用することができる。
【００５５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００５６】
【発明の効果】
本発明は上記構成を備え、次の効果を有する。
（ａ）  給湯装置は、発熱体に電気を供給して発熱させ、水が該発熱体に直接触れて湯になるような構造を有する加熱装置を備えている。つまり、加熱装置は流路中に発熱体が設けてあるような構造を有している。このため、発熱体が発した熱量は、途中で無駄に損失することなく直接水に伝達される。従って、加熱装置は、水を加熱して湯にするための効率が極めて良好であり、従来の燃焼装置の蛇管のように加熱される部分を長くする必要がない。これにより加熱装置は、供給できる同温の湯の量を基準として比較すれば、従来の燃焼装置より構造を小型化することができる。
給湯装置は、このような加熱装置を使用して湯を沸かすので、これ全体の構造も小型化することができる。これにより給湯装置は、設置に際して占有スペースが小さくて済むようになり、据え付けを予定されていなかった既に建てられている建物でも簡単に設置することができるようになる。
【００５７】
（ｂ）  給湯装置によれば、加熱装置の発熱が電気を使用して行われるので、排気ガスの発生がなく、その周辺の大気を汚染するようなこともない。従って、給湯装置は、例えば、都市部や住宅地等の人口密集地においても支障なく使用することができる。
【００５８】
（ｃ）  加熱装置で沸かされた湯の一部を熱源として、該加熱装置に送られる水を予備的に加熱する予備加熱装置を備えているものは、加熱装置に送られる水を予備的に加熱しておくことができる。従って、加熱装置に送られたときに、予備的に加熱されていない水よりも少ない熱量で、即ち少ない電気の量で加熱して湯にすることができる。
【００５９】
（ｄ）  発熱体が交換可能なカートリッジ式になっているものは、発熱体が消耗したときや故障したときに、発熱体のみを取り替えることができる。つまり、メンテナンスが簡単である。
【００６０】
（ｅ）  加熱装置に水が送られたときに発熱体に電気が供給されるようにする制御手段を有しているものは、加熱装置に水が送られたときに、発熱体に電気を供給して該加熱装置を作動させることができる。つまり、加熱装置に水を送るだけで、自動的にこの水を加熱して湯を沸かすことができる。このように湯を沸かすときだけに電気を供給することができるので、電気の無駄がなく、また、空焚き等の危険もなくなる。
【図面の簡単な説明】
【図１】
本発明に係る給湯装置の一実施の形態を示しており、前蓋を外して内部構造が見えるようにした状態の概略説明図。
【図２】
加熱器の構造を示し、一部を縦断面した説明図。
【図３】
図１に示す加熱器を図２のＡ−Ａ部分で断面した横断面図。
【符号の説明】
Ｋ  給湯装置
Ｈ  加熱器
Ｓ１，Ｓ２  温度センサー
１  ハウジング
１０，１１  側面板
２  熱交換器
２０  外部容器
２１  鏡板
２２  内管
２３ａ，２３ｂ  接続部
３  加熱装置
３０  ハウジング
３１  制御ボックス
４  循環ポンプ
５０ａ，５０ｂ，５０ｃ  送水管
５１ａ，５１ｂ  送湯管
５２  給湯管
６  機器ケース
６０，６１，６２  流路
６００，６０１  ストッパー部材
６３ａ，６３ｂ  連通路
６４  スイッチ部材
６６  抵抗部材
６７  挿入口
７０，７１  漏電ブレーカー
７２  温度管理リレー
７３  マグネットスイッチ
７４  端子台
８  発熱体
８０  ヒーター
８００ａ，８００ｂ  凹溝
８１  導電部材
８１０  導線
８１１  電極棒